(57)【特許請求の範囲】
【請求項１】
撮像素子および電気素子が実装されている基板と、
前記撮像素子の外周に配置されている保持部材と、を有し、
前記保持部材は、前記撮像素子と前記保持部材との間の領域の少なくとも一部に前記電気素子が位置するように、配置されており、
前記領域のうち前記電気素子が位置していない部分に前記撮像素子と前記保持部材とを接着する接着剤が配置されていることを特徴とする撮像素子ユニット。
【請求項２】
前記領域は、前記撮像素子の辺に設けられており、
前記領域のうち前記電気素子が位置していない部分は、前記撮像素子の少なくとも一辺に設けられていることを特徴とする請求項１に記載の撮像素子ユニット。
【請求項３】
前記領域は、前記撮像素子の四辺にそれぞれ設けられており、
前記領域のうち前記電気素子が位置していない部分は、前記撮像素子の対向する二辺に設けられていることを特徴とする請求項１に記載の撮像素子ユニット。
【請求項４】
撮像素子および電気素子が実装されている基板と、
前記撮像素子の外周に配置されている保持部材と、を有し、
前記保持部材は、前記撮像素子と前記保持部材との間の領域の少なくとも一部に前記電気素子が位置するように、配置されており、
前記領域のうち前記電気素子が位置していない部分に前記撮像素子と前記保持部材とを接着する接着剤が配置されていることを特徴とする撮像装置。
【請求項５】
前記領域は、前記撮像素子の辺に設けられており、
前記領域のうち前記電気素子が位置していない部分は、前記撮像素子の少なくとも一辺に設けられていることを特徴とする請求項４に記載の撮像装置。
【請求項６】
前記領域は、前記撮像素子の四辺にそれぞれ設けられており、
前記領域のうち前記電気素子が位置していない部分は、前記撮像素子の対向する二辺に設けられていることを特徴とする請求項４に記載の撮像装置。
【発明の詳細な説明】
【技術分野】
【０００１】
本発明は、撮像素子ユニットおよび撮像装置に関するものである。
【背景技術】
【０００２】
画像をメモリに取り込むことができるデジタルカメラが一般的に普及している。このデジタルカメラでは、ＣＣＤやＣＭＯＳ等の撮像素子を利用して画像を取得している。撮像素子は撮影レンズ鏡筒のピントが合う位置に配置されている。これらの撮像素子を撮像素子ホルダに固定する方法としては様々あるが、固定する作業が煩わしいという問題があった。
【０００３】
その対応としていくつかの提案がなされている。例えば、特許文献１では、撮像素子の背面に板状の位置規制用部材を配置し、背面から位置規制用部材の穴を設けて接着固定をして保持するようにしている。また、特許文献２では、ＣＣＤが収納される薄板状のパッケージと一定の隙間を設けてプレートを配置し、パッケージとプレートの隙間に接着材を流し込むことで、互いを固定保持するようにしている。
【先行技術文献】
【特許文献】
【０００４】
【特許文献１】特開平１１−２６１９０４号公報
【特許文献２】特開２００６−１７３８９０号公報
【発明の概要】
【発明が解決しようとする課題】
【０００５】
しかしながら、上述の特許文献１に開示された従来技術では、撮像素子の背面に撮像素子ホルダを配置する為、それぞれの厚みが積層され、全体の厚みが厚くなってしまうという問題がある。一方で、特許文献２に開示された従来技術では、パッケージとプレート（撮像素子と撮像素子ホルダ）の間に４辺に対して一定の距離を保って隙間を構成する必要があった。
【０００６】
しかしながら、近年撮像素子の処理能力の高速化、高画素化が進み、撮像素子にできるだけ近いところに電気素子を配置したいという要求があり、その対応として特許文献２の方法では対応が困難になってきている。
【課題を解決するための手段】
【０００７】
上記課題を解決するために、本発明の撮像素子ユニットは、撮像素子および電気素子が実装されている基板と、前記撮像素子の外周に配置されている保持部材と、を有し、前記保持部材は、前記撮像素子と前記保持部材との間の領域の少なくとも一部に前記電気素子が位置するように、配置されており、前記領域のうち前記電気素子が位置していない部分に前記撮像素子と前記保持部材とを接着する接着剤が配置されていることを特徴とする。
【発明の効果】
【０００８】
本発明によれば、撮像素子と保持部材との間の領域に電気素子が位置する場合であっても、撮像素子と保持部材とを十分な強度で接着することができる。
【図面の簡単な説明】
【０００９】
【図１】（Ａ）本発明の撮像素子ユニットを備えたデジタルカメラの斜視図である。（Ｂ）本発明の一実施例であるデジタルカメラの背面図である。
【図２】本発明の撮像素子ユニットを備えたデジタルカメラの構成の要部を示すブロック図である。
【図３】本発明の実施例における撮像素子ユニットの正面図である。
【図４】本発明の実施例における撮像素子ユニットの側面図である。
【発明を実施するための形態】
【００１０】
以下に、本発明に係る実施形態の一例としての固体撮像装置を備えたデジタルカメラを図１から４に基づいて詳細に説明する。
【００１１】
図１（Ａ）、図１（Ｂ）には、本実施形態に係る撮像素子ユニットを有する撮像装置としてのデジタルカメラ１０を示す。図１（Ａ）はデジタルカメラ１０の正面斜視図であり、図１（Ｂ）はデジタルカメラ１０の背面図である。図２にはデジタルカメラ１０の要部構成を示すブロック図である。
【００１２】
デジタルカメラ１０の正面には、被写体の構図を決めるファインダ１１、測光測距を行う場合の光源の補助を行う補助光９、ストロボ１２、撮像素子ユニットを有する撮影レンズ鏡筒１３が構成されている。本形態のデジタルカメラ１０の上面には、レリーズボタン６、電源切換えボタン８、ズーム切換えスイッチ７が配置されている。デジタルカメラ１０の背面には、操作ボタン１６〜２１が配置され様々な機能切換えを行うことができる。なお、操作ボタンはボタン形状以外にも、ダイヤルやディスプレイ１５上のタッチパネルであってもよい。ＬＣＤより成るディスプレイ１５、ファインダ接眼部１４が配置されている。ディスプレイ１５は、画像表示部であり、メモリ３２に保存された画像データやメモリーカードから読み込んだ画像データを画面上に表示する。
【００１３】
ＣＰＵ３８、ＲＯＭ３７、ＲＡＭ３９で構成される制御部は、バス３６を介してレリーズボタン６、操作ボタン１６〜２１、ディスプレイ１５、メモリ３２、メモリーカードドライブ３４等の各種構成要素が接続されている。駆動部３５は、バス３６を介して制御部と接続し、ズーム機構２２、フォーカス駆動機構２４、シャッタ駆動機構２６、絞り駆動機構２８、ＣＣＤやＣＭＯＳ等の撮像素子１、ストロボ１２が接続されている。そして、制御部からの信号により各々の駆動を制御することになる。ＲＯＭ３７には上述の各機能構成要素を制御するプログラムが記憶されている。ＲＡＭ３９には各制御プログラムに必要なデータが記憶されている。
【００１４】
アナログ信号処理回路２９では、取り込まれた画像データにアナログ処理を施し、Ａ／Ｄ変換部３０に出力する。Ａ／Ｄ変換部３０では取り込まれたアナログデータをデジタルデータに変換する。このデジタルデータをデジタル信号処理部３１に出力し、ここでデジタルデータの処理を行う。最終的にデジタルデータはメモリ３２に記憶されることになる。
【００１５】
メモリ３２に記憶された画像データやメモリーカードドライブ３４に記憶されている画像データを圧縮伸張部３３によって伸張処理を行い、その画像データを、バス３６を介してディスプレイ１５に表示させることができる。このディスプレイ１５上のデータを使用者が見ることで、その画像が不必要であると判断すると使用者は操作ボタン２１の操作によって消去することができる。
【００１６】
デジタルカメラ１０に備えられた撮像素子ユニットの構成について説明する。図３はデジタルカメラ１０の撮影レンズ鏡筒に具備される撮像素子ユニットの正面図を示している。図４は撮像素子ユニットの側面図を示している。
【００１７】
撮像素子１の背面に全体の回路を構成する撮像素子基板５が配置されており、撮像素子基板５には撮像素子１と電気素子３が実装されている。この電気素子３は、撮像素子１の外周にはノイズ等を低減するための抵抗やコンデンサー等が複数個配置されている。
【００１８】
この電気素子３は、撮像素子１の左右の対向する二辺にのみ集中させて配置している。このため、保持部材２には、撮像素子１の左右の対向する二辺に設けられた電気素子３を逃げるように開口部（不図示）が設けられている。また、電気素子３が配置されていない上下の対向する二辺に関して、撮像素子１と保持部材２との間には一定間隔の空間が設けられている。
【００１９】
次に、撮像素子１と保持部材２の固定方法について詳細を説明する。
【００２０】
撮像素子１を撮像素子ユニットに取り付けて固定するには、まず、撮像素子１を保持部材２に固定する必要がある。このため、撮像素子１の外周に保持部材２を配置する。そして、撮像素子１の厚み内に保持部材２を配置する。これによって、撮像素子ユニット全体の厚みを抑えられることができる。
【００２１】
そして撮像素子１と保持部材２との間に一定間隔で配設された空間に接着材４を流し込み、撮像素子１と保持部材２の固定を行う。撮像素子１と保持部材２の間隔を一定にすることで、接着材が流し込みやすくなり、接着固定強度も均一になる。
【００２２】
また、撮像素子１と保持部材２の接着固定した辺（上下の辺）の端部となる角部１ａのうち、電気素子３が配置されている辺（左右の辺）にまたがるように接着材４を塗布して固定すると、より強固に接着固定ができるようになる。つまり、電気素子が配置されている辺の一部においても接着固定することも可能である。
【００２３】
以上の構成をとることで、撮像素子１の周囲に電気素子３を配置する必要がある場合でも、撮像素子１の厚み内に保持部材２を配置したため、撮像素子ユニットを厚くすることなく効率的に接着固定できる。
【００２４】
以上、本発明の好ましい実施形態について説明したが、本発明はこれらの実施形態に限定されず、その要旨の範囲内で種々の変形及び変更が可能である。たとえば、電気素子３は撮像素子１の左右の二辺にのみ集中させて配置しているが、撮像素子１の一辺にのみ集中させ、残りの３辺で接着固定してもよい。
【符号の説明】
【００２５】
１  撮像素子
２  保持部材
３  電気素子
４  接着材
【図１】
0005743767.tif 000002
【図２】
0005743767.tif 000003
【図３】
0005743767.tif 000004
【図４】
0005743767.tif 000005